(57)【要約】【課題】用紙支持部に配置される用紙のバリを手で捌くことなく除去した状態で用紙を整列させることができる給紙装置を提供する。【解決手段】取手部１３と開口２ｂの縁２ｃとが当接しないときには、圧縮バネ３７の付勢力により、当接部材３１は壁面Ｗを基準とする位置から搬送方向上流側である後方へ突出し、かつ、突出部３２、３２は取手部１３と開口２ｂの縁２ｃとが当接する位置を基準とする基準面Ｐから後方へと突出し、取手部１３と開口２ｂの縁２ｃとが当接するときには、突出部３２、３２は縁２ｃに押圧されることにより、搬送方向下流側である前方へと退避して基準面Ｐまで変位し、かつ、突出部３２、３２の変位に伴って、当接部材３１は給紙トレイ１０において壁面Ｗを基準とする位置から前方へ、圧縮バネ３７の付勢力に抗して退避する。【選択図】図２
2018172210.tif 000002
【特許請求の範囲】
【請求項１】
開口が設けられる筐体と、
用紙が支持される用紙支持部と、前記用紙支持部より幅方向に広い部分が前記筐体の前記開口の縁と当接する取手部と、を有し、前記筐体の前記開口に対して抜き差し可能な給紙トレイと、
前記用紙支持部における前記用紙の搬送方向下流側の壁面に設けられ、前記搬送方向における前記用紙の下流端に当接可能であって、複数の突起からなる当接部材と、
前記取手部に設けられる突出部と、
前記突出部の移動に伴って前記当接部材を移動させる連結部と、
前記連結部を搬送方向上流側に付勢する第１付勢部材と、
を備え、
前記取手部と前記開口の縁とが当接していないとき、前記第１付勢部材の付勢力により、前記当接部材は前記壁面を基準とする位置から前記搬送方向上流側へ突出し、かつ、前記突出部は前記取手部と前記開口の縁とが当接する位置を基準とする基準面から前記搬送方向上流側へ突出し、
前記取手部と前記開口の縁とが当接するとき、前記突出部は前記用紙の搬送方向下流側に退避して前記基準面まで変位し、かつ、前記当接部材は前記壁面を基準とする位置から前記搬送方向下流側に退避する、
給紙装置。
【請求項２】
前記突出部は、前記取手部の両端部にそれぞれ設けられ、
前記取手部と前記開口の縁とが当接するときには、前記縁が前記突出部をそれぞれ押圧し、前記突出部が前記搬送方向下流側に退避して前記基準面まで変位する、
請求項１に記載の給紙装置。
【請求項３】
前記第１付勢部材は、前記用紙の搬送方向に沿って設けられ、前記用紙の搬送方向下流側が前記給紙トレイに固定された圧縮バネである、
請求項１又は請求項２に記載の給紙装置。
【請求項４】
前記搬送方向における前記給紙トレイの上流端には、前記搬送方向における前記用紙支持部の大きさを規定するガイド部材が、前記搬送方向へ変位可能に配置される、請求項１から請求項３の何れか１項に記載の給紙装置。
【請求項５】
前記給紙トレイにおける前記幅方向の両側部には、前記幅方向における前記用紙支持部の大きさを規定する側方ガイド部材が、前記幅方向へ変位可能に配置される、
請求項１から請求項４の何れか１項に記載の給紙装置。
【請求項６】
前記用紙支持部における前記幅方向の壁面側に設けられ、前記用紙の側端に当接可能であって、略水平方向に突出する複数の突起からなる側端当接部材と、
前記側端当接部材を前記幅方向の内側に付勢する第２付勢部材と、
前記筐体、及び／又は、側端当接部材に形成され、前記用紙支持部における搬送方向上流側に向かうに従って、前記用紙支持部の中央部から離れる側に向かって傾斜するくさび面を有する押圧部と、を備え、
前記取手部と前記開口の縁とが当接していないとき、前記第２付勢部材の付勢力により、前記側端当接部材が前記幅方向の内側へ突出し、
前記取手部と前記開口の縁とが当接するとき、前記筐体が前記くさび面を介して前記側端支持部材を前記第２付勢部材の付勢力に抗して押圧し、前記側端当接部材が前記幅方向の外側へ退避する、
請求項１から請求項５の何れか１項に記載の給紙装置。
【発明の詳細な説明】
【技術分野】
【０００１】
本発明は、給紙装置に関する。
【背景技術】
【０００２】
従来、プリンタ、複写機等の画像形成装置に給紙装置を設ける技術が知られている（例えば、特許文献１を参照）。このような給紙装置においては、給紙される用紙を収容する給紙トレイが設けられている。給紙トレイに収容される用紙には裁断時に生じるバリが存在している。
【０００３】
用紙はバリが絡まった状態で搬送されると重送の原因となるため、使用者が給紙トレイに用紙を配置する前に手で捌いてバリを除去する必要があった。
【先行技術文献】
【特許文献】
【０００４】
【特許文献１】特開２００６−１０３８１７号公報
【発明の概要】
【発明が解決しようとする課題】
【０００５】
前述のように、用紙の重送を抑制するためには、給紙トレイに用紙を配置する前に用紙を捌いてバリを除去する必要があるが、給紙トレイに用紙を配置する使用者によっては用紙を捌いてバリを除去する必要があることを知らない場合があるため、バリが絡まった状態の用紙が給紙トレイに収容されてしまうことがあった。
【０００６】
そこで、本発明は、使用者が給紙トレイに用紙を配置する際に、手で捌くことなく用紙のバリを除去することができる給紙装置を提供することを目的とする。
【課題を解決するための手段】
【０００７】
本発明の解決しようとする課題は以上の如くであり、次にこの課題を解決するための手段を説明する。
【０００８】
本発明の給紙装置は、開口が設けられる筐体と、用紙が支持される用紙支持部と、前記用紙支持部より幅方向に広い部分が前記筐体の前記開口の縁と当接する取手部と、を有し、前記筐体の前記開口に対して抜き差し可能な給紙トレイと、前記用紙支持部における前記用紙の搬送方向下流側の壁面に設けられ、前記搬送方向における前記用紙の下流端に当接可能であって、複数の突起からなる当接部材と、前記取手部に設けられる突出部と、前記突出部の移動に伴って前記当接部材を移動させる連結部と、前記連結部を搬送方向上流側に付勢する第１付勢部材と、を備え、前記取手部と前記開口の縁とが当接していないとき、前記第１付勢部材の付勢力により、前記当接部材は前記壁面を基準とする位置から前記搬送方向上流側へ突出し、かつ、前記突出部は前記取手部と前記開口の縁とが当接する位置を基準とする基準面から前記搬送方向上流側へ突出し、前記取手部と前記開口の縁とが当接するとき、前記突出部は前記用紙の搬送方向下流側に退避して前記基準面まで変位し、かつ、前記当接部材は前記壁面を基準とする位置から前記搬送方向下流側に退避する。
【発明の効果】
【０００９】
本発明によれば、給紙トレイが筐体から引き出された状態では、当接部材が用紙支持部に突出することにより、用紙支持部に配置される用紙のバリを手で捌くことなく除去した状態にすることができ、その後給紙トレイが筐体に挿入されると、当接部材が用紙支持部から退避するため、用紙支持部に配置された用紙を適切に搬送することが可能となる。
【図面の簡単な説明】
【００１０】
【図１】一実施形態に係る給紙装置を備える画像形成装置の中央断面図。
【図２】給紙トレイを示す斜視図。
【図３】スライド部材を示す斜視図。
【図４】給紙トレイを示す平面図。
【図５】（ａ）は給紙トレイを筐体から引き出した状態における給紙装置の平面模式図、（ｂ）は給紙トレイを筐体に挿入した状態における給紙装置の平面模式図。
【図６】給紙トレイを筐体から引き出した状態の図４におけるＡ−Ａ線断面図。
【図７】給紙トレイを筐体に挿入した状態の図４におけるＡ−Ａ線断面図。
【図８】（ａ）は給紙トレイを筐体から引き出した状態の別実施形態に係る給紙装置の平面模式図、（ｂ）は給紙トレイを筐体に挿入した状態の別実施形態に係る給紙装置の平面模式図。
【発明を実施するための形態】
【００１１】
[画像形成装置の全体構成]
まず、図１を用いて、本発明に係る給紙装置の一実施形態である供給ユニット３を備える画像形成装置１の全体構成について説明する。図１に示す画像形成装置１は、筐体２と、供給ユニット３と、画像形成ユニット５と、排出ユニット８と、駆動力を供給する駆動源に備えられる図示しないモータと、図示しない制御部と、を備えている。本実施形態においては、図１に示す矢印で画像形成装置１の各方向を規定する。また、画像形成装置１の前方に向かって右手側（図１における紙面手前側）を右側方、同じく左手側（図１における紙面奥側）を左側方と規定し、左右方向を画像形成装置１の「幅方向」と記載する。
【００１２】
また、本実施形態においては、後述するピックアップローラ２１で用紙Ｓを取り出す方向である、画像形成装置１の前方（図１における右側方）を用紙Ｓの「搬送方向」として規定する。即ち、図１における左側が搬送方向上流側であり、図１における右側が搬送方向下流側である。
【００１３】
筐体２は略直方体形状に形成されており、その下部には、給紙トレイ１０を着脱可能な装着部２ａが形成されている。図５（ａ）及び（ｂ）に示す如く、装着部２ａの前側には、給紙トレイ１０が挿入される開口２ｂが形成される。また、装着部２ａの前端面は開口２ｂの縁２ｃとして形成されている。
【００１４】
供給ユニット３は画像形成装置１の下部に配置され、供給ユニット３に保持される用紙Ｓ（図５から図７を参照）を画像形成ユニット５に搬送するものである。画像形成ユニット５は、供給ユニット３の上方に配置され、供給ユニット３から搬送されてきた用紙Ｓに画像を形成するものである。排出ユニット８は、画像形成装置１における上側後部に配置され、画像形成ユニット５により画像が形成された用紙Ｓを画像形成装置１の外部へ排出するものである。
【００１５】
供給ユニット３は、用紙Ｓを支持する給紙トレイ１０と、給紙機構２０と、搬送ローラ２４ａと、レジストローラ２５とを備えている。
【００１６】
給紙トレイ１０は、筐体２の装着部２ａに着脱可能に装着されている。つまり、給紙トレイ１０は、筐体２に挿入されることにより装着部２ａの所定の位置に対して装着された状態となる装着位置と、筐体２から引き出されることにより装着部２ａの所定の位置から分離されて装着部２ａに対して装着されていない状態となる分離位置と、の間で移動可能に構成されている。
【００１７】
給紙トレイ１０は、装着部２ａに対して、開口２ｂが形成された前方から後方（図１における右方から左方）へ向けて挿入することにより、装着部２ａの所定の位置に装着されて、装着位置に位置することとなる。また、給紙トレイ１０は、装着部２ａに対して後方から前方（図１における左方から右方）へ向けて引き出すことにより、装着位置から分離された分離位置に位置することとなる。換言すれば、給紙トレイ１０は、筐体２の開口２ｂに対して抜き差し可能とされている。
【００１８】
図２に示すように、給紙トレイ１０は、用紙Ｓを支持する用紙支持部１１と、用紙支持部１１に支持される用紙Ｓが載置される圧板１２と、使用者が給紙トレイ１０を引き出す際に把持する取手部１３と、を有する。
【００１９】
用紙支持部１１は給紙トレイ１０に形成され、用紙支持部１１に用紙Ｓが載置されることにより、給紙トレイ１０から用紙Ｓが給紙可能となる。図１、図２及び図５に示す如く、搬送方向における給紙トレイ１０の上流端（用紙支持部１１の後端）には、搬送方向における用紙支持部１１の大きさ（前後方向長さ）を規定するガイド部材１０ａが、搬送方向へ変位可能に配置される。また、給紙トレイ１０における幅方向の両側部には、幅方向における用紙支持部１１の大きさ（左右方向長さ）を規定する側方ガイド部材１０ｂ、１０ｃが、幅方向へ変位可能に配置される。圧板１２は上下方向に変位可能となっている。
【００２０】
取手部１３は給紙トレイ１０における前部を構成する。取手部１３は用紙支持部１１より幅方向に広く形成され、給紙トレイ１０が装着位置に位置する際には、その後端部１３ａが筐体２の開口２ｂの縁２ｃと当接する（図５（ｂ）を参照）。
【００２１】
スライド部材３０は、当接部材３１と、突出部３２、３２と、連結部３３と、を備えている。図３から図５に示す如く、給紙トレイ１０の前部における取手部１３には、幅方向に延びるスライド部材３０が、用紙支持部１１に当接部材３１を露出させ、かつ、用紙支持部１１の左右の外側に突出部３２、３２を延出させた状態で設けられる。スライド部材３０は、取手部１３の内部に形成された収容スペース１４において、一体的に前後方向に変位可能に配置されている。
【００２２】
当接部材３１は、用紙支持部１１における用紙Ｓの搬送方向下流側（前側）の壁面Ｗに設けられる板状の部材である。当接部材３１は、壁面Ｗに形成された開口部から、用紙支持部１１に延出可能に設けられている。図６及び図７に示す如く、当接部材３１の後面（用紙支持部１１の側の面）には、略水平方向に突出する複数の突起３１ａが形成されている。そして、用紙支持部１１に用紙Ｓが配置され、当接部材３１が搬送方向上流側に位置する場合は、図５（ａ）及び図６に示すに示す如く、搬送方向における用紙Ｓの下流端Ｓｆに当接するように構成される。
【００２３】
突出部３２、３２は、スライド部材３０の左右両端部が用紙支持部１１の外側で後方に屈曲されて形成されている。突出部３２、３２は取手部１３の後端部１３ａより幅方向で内側に配置されることにより、取手部１３の左右両端部に設けられる。連結部３３は当接部材３１と突出部３２、３２とを一体的に連結する棒状の部材であり、突出部３２、３２の移動に伴って当接部材３１を移動させる。このように、スライド部材３０は図３に示す如く、左右方向中央部に設けられた当接部材３１から左右の両方向に連結部３３が延出され、連結部３３の左右両端が用紙支持部１１の外側で屈曲されることにより突出部３２、３２が形成されているのである。
【００２４】
スライド部材３０は収容スペース１４の内部で前後方向に変位可能に配設されている。また、スライド部材３０における当接部材３１の前面と、収容スペース１４の壁面との間には、図１、図６、及び図７に示す如く、第一付勢部材である圧縮バネ３７が介挿される。圧縮バネ３７は、用紙Ｓの搬送方向である前後方向に沿って設けられ、搬送方向下流側が給紙トレイ１０における収容スペース１４の壁面に固定されている。これにより、圧縮バネ３７は、当接部材３１、突出部３２、３２、及び、連結部３３で構成されたスライド部材３０を一体的に用紙Ｓの搬送方向上流側に付勢している。
【００２５】
給紙機構２０は、給紙トレイ１０に保持される用紙Ｓを一枚ずつ分離して取り出し、搬送ローラ２４ａへ向けて搬送する機構であり、ピックアップローラ２１、分離ローラ２２、及び分離パッド２３を備えている。
【００２６】
ピックアップローラ２１は、圧板１２により給紙可能位置まで上昇された用紙Ｓを取り出すためのローラである。圧板１２上に載置された用紙Ｓは、給紙可能位置まで上昇された状態では、その上端がピックアップローラ２１に適度な圧力で圧接して給紙可能な状態となっている。
【００２７】
図示しない圧板上昇機構により上方へ変位される圧板１２は、圧板１２上に用紙Ｓが載置されている場合は、載置される用紙Ｓの上端がピックアップローラ２１に圧接する給紙可能位置まで上昇すると、その変位が停止される。
【００２８】
また、圧板１２は、圧板１２上に用紙Ｓが載置されていない場合は、上下方向の変位可能範囲における最上位置に達すると変位が停止するように構成されている。この場合、圧板１２の上下方向の変位可能範囲における最上位置は、例えば圧板１２がピックアップローラ２１に圧接する位置に設定されている。
【００２９】
分離ローラ２２は、ピックアップローラ２１よりも用紙Ｓの搬送方向下流側に配置されており、分離パッド２３は、分離ローラ２２に対向配置されるとともに分離ローラ２２に向けて付勢されている。
ピックアップローラ２１により取り出された用紙Ｓは、分離ローラ２２側へ送り出され、分離ローラ２２と分離パッド２３との間で１枚ずつに分離されて、搬送ローラ２４ａに向けて搬送される。
【００３０】
搬送ローラ２４ａは、用紙Ｓに搬送力を付与するローラであり、給紙機構２０よりも用紙Ｓの搬送方向下流側に配置されている。搬送ローラ２４ａの対向位置には、紙粉取りローラ２４ｂが配置されている。給紙機構２０から搬送ローラ２４ａに向けて搬送されてきた用紙Ｓは、搬送ローラ２４ａと紙粉取りローラ２４ｂとで挟持され、レジストローラ２５へ向けて搬送される。搬送ローラ２４ａは、装着部２ａの、給紙トレイ１０が装着される空間内に露出している。
【００３１】
レジストローラ２５は、搬送ローラ２４ａよりも用紙Ｓの搬送方向下流側に配置されており、搬送される用紙Ｓの先端の移動を、レジストローラ２５に対向配置されるレジストコロ２６との間で規制して一旦停止させた後、所定のタイミングにて転写位置に向けて搬送する。
【００３２】
画像形成ユニット５は、供給ユニット３から搬送されてきた用紙Ｓの表面に画像を転写するプロセスカートリッジ５０と、プロセスカートリッジ５０の感光体ドラム５４の表面を露光する露光ユニット６０と、プロセスカートリッジ５０により用紙Ｓに転写された画像を定着させる定着ユニット７０とを備えている。
【００３３】
プロセスカートリッジ５０は、筐体２における装着部２ａよりも上方に配置されており、現像剤収容室５１と、供給ローラ５２と、現像ローラ５３と、感光体ドラム５４と、転写ローラ５５等とを備えている。
【００３４】
露光ユニット６０は、レーザダイオード、ポリゴンミラー、レンズ、及び反射鏡等を備えており、画像形成装置１に入力された画像データに基づいてレーザ光を感光体ドラム５４へ向けて照射することにより、感光体ドラム５４の表面を露光する。
【００３５】
現像剤収容室５１には現像剤となるトナーが収容されている。現像剤収容室５１に収容されたトナーは、図示しない撹拌部材により撹拌されながら供給ローラ５２に送られる。供給ローラ５２は、現像剤収容室５１から送られてくるトナーをさらに現像ローラ５３へ供給する。
【００３６】
現像ローラ５３は、供給ローラ５２に密着して配置されており、供給ローラ５２から供給されるとともに図示しない摺接部材により正帯電されたトナーを担持する。また、現像ローラ５３には、図示しないバイアス印加手段により正の現像バイアスが印加される。
【００３７】
感光体ドラム５４は、現像ローラ５３に隣接して配置されている。感光体ドラム５４の表面は、図示しない帯電器により一様に正帯電された後、露光ユニット６０により露光される。感光体ドラム５４の露光された部分は他の部分よりも電位が低くなり、感光体ドラム５４に画像データに基づく静電潜像が形成される。
そして、静電潜像が形成された感光体ドラム５４の表面に、正に帯電されたトナーが現像ローラ５３から供給されることにより、静電潜像が顕像化されて現像剤像となる。
【００３８】
転写ローラ５５は、感光体ドラム５４に対向配置され、図示しないバイアス印加手段により負の転写バイアスが印加される。転写ローラ５５の表面に転写バイアスがされている状態で、現像剤像が形成された感光体ドラム５４と転写ローラ５５との間（転写位置）で用紙Ｓを挟持しなから搬送することにより、感光体ドラム５４の表面に形成された現像剤像が用紙Ｓの表面に転写される。
【００３９】
定着ユニット７０は、加熱ローラ７１と押圧ローラ７２とを備えている。加熱ローラ７１は図示しないモータからの駆動力により回転駆動され、加熱ローラ７１は図示しない電源から電力を供給することで加熱される。押圧ローラ７２は加熱ローラ７１に対向配置されており、加熱ローラ７１に密着して従動回転する。現像剤像が転写された用紙Ｓが定着ユニット７０に搬送されてくると、加熱ローラ７１と押圧ローラ７２との間で用紙Ｓを挟持しながら搬送し、用紙Ｓに現像剤像を定着させる。
【００４０】
排出ユニット８は、排出ローラ８１と、排出トレイ８２とを備えている。排出ローラ８１は一対のローラであり、定着ユニット７０から搬送されてくる用紙Ｓを筐体２の外部へ向けて排出する。排出トレイ８２は筐体２の上面に形成されており、排出トレイ８２には排出ローラ８１により筐体２の外部に排出された用紙Ｓが堆積される。このように、用紙Ｓは図１中の二点鎖線に示す搬送経路Ｌに沿って、供給ユニット３から画像形成ユニット５を介して排出ユニット８まで搬送されるのである。
【００４１】
[スライド部材３０]
次に、スライド部材３０の作用について、図５から図７を用いて説明する。
図５（ａ）に示す如く、給紙トレイ１０が装着部２ａから引き出されて分離位置に位置する場合は、取手部１３の後端部１３ａと筐体２における開口２ｂの縁２ｃとは当接しない。このときには図６に示す如く、圧縮バネ３７の付勢力により、当接部材３１は壁面Ｗを基準とする位置から搬送方向上流側である後方へ突出する。同時に突出部３２、３２は、図５（ａ）に示す如く、取手部１３の後端部１３ａと開口２ｂの縁２ｃとが当接する位置を基準とする基準面Ｐから搬送方向上流側である後方へと突出する。
【００４２】
一方、図５（ｂ）に示す如く、給紙トレイ１０が装着部２ａに挿入されて装着位置に位置する場合は、取手部１３の後端部１３ａと開口２ｂの縁２ｃとが当接する。このときには、突出部３２、３２は開口２ｂの縁２ｃに押圧されることにより、搬送方向下流側である前方へと退避し、基準面Ｐまで変位する。また、突出部３２、３２の変位に伴って、当接部材３１は図７に示す如く、給紙トレイ１０において壁面Ｗを基準とする位置から搬送方向下流側である前方へ、圧縮バネ３７の付勢力に抗して退避する。
【００４３】
上記の構成により、使用者が給紙トレイ１０を装着部２ａから引き出した状態で用紙Ｓを用紙支持部１１に配置した際には、図６に示す如く、当接部材３１に形成された複数の突起３１ａが搬送方向における用紙Ｓの下流端Ｓｆに押し当てられる。これにより、用紙Ｓの下流端Ｓｆが少し湾曲されて用紙Ｓが捌かれるため、下流端Ｓｆに形成されたバリを自動的に除去することができる。そして、その後に給紙トレイ１０が装着部２ａに挿入されると、図７に示す如く、当接部材３１が用紙支持部１１から退避し、壁面Ｗを基準とする位置から前方へ移動するため、用紙支持部１１に配置された用紙Ｓを適切に搬送することが可能となる。このように、本実施形態によれば、使用者が給紙トレイ１０に用紙Ｓを配置する際に、用紙Ｓを手で捌くことなく、用紙Ｓを用紙支持部１１に配置するだけで自動的にバリを除去することができるのである。
【００４４】
なお、本実施形態においては、スライド部材３０の両端部に突出部３２、３２を形成する構成としているが、筐体２における開口２ｂの縁２ｃから前方に向かって突出部を形成し、この突出部によってスライド部材の両端部を押圧する構成とすることも可能である。
【００４５】
また、本実施形態における供給ユニット３においては、突出部３２、３２が取手部１３の両端部にそれぞれ設けられる構成としている。そして、取手部１３と開口２ｂの縁２ｃとが当接するときには、縁２ｃが突出部３２、３２をそれぞれ押圧して搬送方向下流側に退避させ、基準面Ｐまで変位させる。このように、筐体２が二個の突出部３２、３２を介して当接部材３１を押し込むことができるため、当接部材３１の搬送方向下流側への変位を円滑に行うことができる。
【００４６】
また、本実施形態における供給ユニット３においては、第１付勢部材として、用紙Ｓの搬送方向である前後方向に沿って設けられ、搬送方向下流側が給紙トレイ１０における収容スペース１４の壁面に固定された圧縮バネ３７が用いられている。このように構成することにより、安価かつシンプルな構成で当接部材３１を給紙トレイ１０において搬送方向上流側に付勢することができる。
【００４７】
また、本実施形態における供給ユニット３において、搬送方向における給紙トレイ１０の上流端（用紙支持部１１の後端）には、搬送方向における用紙支持部１１の大きさ（前後方向長さ）を規定するガイド部材１０ａが、搬送方向へ変位可能に配置される。これにより、ガイド部材１０ａの位置を変更することで、用紙支持部１１に配置する用紙の前後方向長さを変更することが可能となる。
【００４８】
また、本実施形態における供給ユニット３において、給紙トレイ１０における幅方向の両側部には、幅方向における用紙支持部１１の大きさ（左右方向長さ）を規定する側方ガイド部材１０ｂ、１０ｃが、前記幅方向へ変位可能に配置される。これにより、ガイド部材１０ｂ、１０ｃの位置を変更することで、用紙支持部１１に配置する用紙の左右方向長さを変更することが可能となる。
【００４９】
[別実施形態]
次に、別実施形態に係る給紙装置を備える画像形成装置について、図８を用いて説明する。本実施形態に係る画像形成装置については、前記実施形態における画像形成装置１とほぼ同じ構成であるため、画像形成装置１と共通する構成については詳細な説明を省略して、異なる構成を中心に説明する。
【００５０】
本実施形態においては図８に示す如く、給紙トレイ１１０における幅方向の一側部である右側（図８（ａ）における下側）には、幅方向における用紙支持部１１１の大きさ（左右方向長さ）を規定する側方ガイド部材１０ｂが幅方向へ変位可能に配置される。また、給紙トレイ１１０における幅方向の他側部である左側（図８（ａ）における上側）には、用紙Ｓの左側端Ｓｓに当接可能であって、略水平方向に突出する複数の突起からなる側端当接部材１３１が、給紙トレイ１１０に設けられたガイド１０ｒ、１０ｒに沿って左右方向に変位可能に設けられている。
【００５１】
側端当接部材１３１は、用紙支持部１１１に延出可能に設けられている。側端当接部材１３１の右側面（用紙支持部１１１の側の面）には、略水平方向に突出する図示しない複数の突起が形成されている。そして、用紙支持部１１１に用紙Ｓが配置され、側端当接部材１３１が右側に位置する場合は、図８（ａ）に示すに示す如く、用紙Ｓの左側端Ｓｓに当接するように構成される。
【００５２】
側端当接部材１３１には、連結部１３３を介して押圧部１３２が一体的に連結されている。押圧部１３２は平面視で三角形に形成されており、用紙支持部１１１における搬送方向上流側に向かうに従って、用紙支持部１１１の中央部から離れる側（本実施形態においては左側方）に向かって傾斜するくさび面１３２ａが形成されている。
【００５３】
筐体２においてくさび面１３２ａと近接する箇所には、ピン２ｄが形成されている。また、筐体２には、側端当接部材１３１を幅方向の内側に付勢する第２付勢部材として第２圧縮バネ１３７が設けられる。
【００５４】
図８（ａ）に示す如く、給紙トレイ１１０が装着部２ａから引き出されて分離位置に位置する（取手部１３の後端部１３ａと開口２ｂの縁２ｃとが当接していない）とき、側端当接部材１３１は第２圧縮バネ１３７の付勢力により、幅方向内側（右側方）に突出する。一方、図８（ｂ）に示す如く、給紙トレイ１１０が装着部２ａに挿入されて装着位置に位置する（取手部１３の後端部１３ａと開口２ｂの縁２ｃとが当接する）ときは、くさび面１３２ａがピン２ｄに当接しながら左側方に変位するため、側端当接部材１３１は第２圧縮バネ１３７の付勢力に抗して左側方へと退避する。
【００５５】
上記の構成により、使用者が給紙トレイ１１０を装着部２ａから引き出した状態で用紙Ｓを用紙支持部１１１に配置した際には、側端当接部材１３１に形成された複数の突起が搬送方向における用紙Ｓの左側端Ｓｓに押し当てられる。これにより、用紙Ｓの左側端Ｓｓが少し湾曲されて用紙Ｓが捌かれるため、左側端Ｓｓに形成されたバリを自動的に除去することができる。そして、その後に給紙トレイ１１０が装着部２ａに挿入されると、側端当接部材１３１が用紙支持部１１から退避し、左側方へ移動するため、用紙支持部１１１に配置された用紙Ｓを適切に搬送することが可能となる。このように、本実施形態によれば、使用者が給紙トレイ１１０に用紙Ｓを配置する際に、用紙Ｓを手で捌くことなく、用紙Ｓを用紙支持部１１１に配置するだけで、用紙Ｓの側方のバリを自動的に除去することができるのである。
【００５６】
なお、本実施形態においては、側端当接部材１３１に連結された押圧部１３２にくさび面１３２ａを形成する構成としたが、筐体１０２の側にくさび面を形成したり、側端当接部材１３１と筐体１０２との両方にくさび面を形成したりすることも可能である。
【符号の説明】
【００５７】
１        画像形成装置
２        筐体
２ｂ      開口
２ｃ      縁
３        供給ユニット（給紙装置）
１０        給紙トレイ
１１        用紙支持部
１３        取手部
３１        当接部材
３２        突出部
３７        圧縮バネ（第１付勢部材）
Ｐ        基準面
Ｗ        壁面
【図１】
2018172210.tif 000003
【図２】
2018172210.tif 000004
【図３】
2018172210.tif 000005
【図４】
2018172210.tif 000006
【図５】
2018172210.tif 000007
【図６】
2018172210.tif 000008
【図７】
2018172210.tif 000009
【図８】
2018172210.tif 000010